(57)【要約】      （修正有）【課題】通帳の新規発行に掛かる手間を低減させることが可能な技術を提供する。【解決手段】１または複数部の通帳を収納する通帳収納部３４０と、オペレータからの操作部への操作に連動して、通帳収納部３４０に収納されている１または複数部の通帳から送り出し部により１部ずつ送り出された通帳が取り出される取り出し口と、を備える、通帳収納カセットが提供される。【選択図】図８Ａ
2015095078.tif 000002
【特許請求の範囲】
【請求項１】
１または複数部の通帳を収納する通帳収納部と、
オペレータからの操作部への操作に連動して、前記通帳収納部に収納されている前記１または複数部の通帳から送り出し部により１部ずつ送り出された通帳が取り出される取り出し口と、
を備える、通帳収納カセット。
【請求項２】
前記通帳収納カセットは、通帳伝票プリンタに設置された取り付け台に取り付けられることにより、前記取り出し口から取り出された通帳が前記通帳伝票プリンタの挿入口に到達する位置に配置される、
請求項１に記載の通帳収納カセット。
【請求項３】
前記の取り出し口は、前記通帳収納カセットの回動部材が前記取り付け台の突出部により押圧されて回動することにより形成される、
請求項２に記載の通帳収納カセット。
【請求項４】
前記通帳収納カセットは、前記通帳収納部に収納されている通帳を外部から視認可能とする通帳確認領域を有する、
請求項１に記載の通帳収納カセット。
【請求項５】
前記通帳収納カセットは、前記操作部を備える、
請求項１に記載の通帳収納カセット。
【請求項６】
前記通帳収納カセットは、前記送り出し部を備える、
請求項１に記載の通帳収納カセット。
【請求項７】
前記操作部は、オペレータによって回動操作または移動操作がされるレバーにより構成される、
請求項１に記載の通帳収納カセット。
【請求項８】
前記操作部は、前記送り出し部と一体化されて構成される操作部材によって構成される、
請求項１に記載の通帳収納カセット。
【請求項９】
前記操作部は、オペレータによって回転される回転ノブにより構成される、
請求項１に記載の通帳収納カセット。
【請求項１０】
前記送り出し部は、前記操作部への操作に連動して通帳を押圧することにより通帳を送り出す押し出し部材により構成される、
請求項１に記載の通帳収納カセット。
【請求項１１】
前記送り出し部は、回転によって生じる摩擦力により通帳を送り出すローラにより構成される、
請求項１に記載の通帳収納カセット。
【請求項１２】
通帳収納カセットが取り付けられる取り付け口と、
オペレータからの操作部への操作に連動して、前記通帳収納カセットの通帳収納部に収納されている前記１または複数部の通帳から送り出し部により１部ずつ送り出された通帳が、前記通帳収納カセットの取り出し口から取り出されて通帳伝票プリンタの挿入口に排出される排出口と、
を備える、取り付け台。
【請求項１３】
前記取り付け台は、
前記通帳収納カセットの回動部材を押圧して回動させることにより前記取り出し口を形成させる突出部を備える、
請求項１２に記載の取り付け台。
【請求項１４】
前記取り付け台は、前記操作部を備える、
請求項１２に記載の取り付け台。
【請求項１５】
前記取り付け台は、前記送り出し部を備える、
請求項１２に記載の取り付け台。
【請求項１６】
１または複数部の通帳を収納する通帳収納部と、
オペレータからの操作部への操作に連動して、前記通帳収納部に収納されている前記１または複数部の通帳から送り出し部により１部ずつ送り出された通帳が取り出される取り出し口と、
を備える、通帳収納カセットと、
前記通帳収納カセットが取り付けられる取り付け口と、
前記通帳収納カセットの取り出し口から取り出された通帳が排出される排出口と、
を備える、取り付け台と、
前記排出口から排出された通帳を挿入するための挿入口と、
前記通帳に対して印字を行う印字部と、
を備える、プリンタと、
を有する、通帳印字システム。
【発明の詳細な説明】
【技術分野】
【０００１】
本発明は、通帳収納カセット、取り付け台および通帳印字システムに関するものである。
【背景技術】
【０００２】
一般に、顧客が口座を開設する場合などには通帳が新規に発行される。通帳を新規発行するための装置として専用の新規通帳発行機が存在する。しかし、かかる専用の新規専用通帳発行機を増設するには、専用の新規通帳発行機を設置するためのスペースを新たに確保する必要がある。また、専用の新規通帳発行機を増設するためには、専用の新規通帳発行機を購入するためのコストが必要となる。
【０００３】
そこで、通帳および伝票に対して印字を行う通帳伝票プリンタが、通帳の新規発行に利用され得る。しかし、通帳伝票プリンタには新規発行される通帳を蓄える機構がないのが一般的である。そこで、オペレータは、通帳伝票プリンタを利用して通帳を新規発行する場合には、集積された新規の通帳の束から通帳を一部ずつ手動で抜き取って通帳伝票プリンタに手挿入する必要がある（例えば、特許文献１参照）。
【先行技術文献】
【特許文献】
【０００４】
【特許文献１】特開平１０−７６７２３号公報
【発明の概要】
【発明が解決しようとする課題】
【０００５】
しかしながら、かかる技術においては、通帳伝票プリンタを利用して通帳を新規発行するたびに、オペレータが集積された新規の通帳の束から通帳を一部ずつ手動で抜き取って通帳伝票プリンタに手挿入する必要がある。そのため、通帳の新規発行に手間が掛かるという問題があった。
【０００６】
そこで、本発明は、上記問題に鑑みてなされたものであり、本発明の目的とするところは、通帳の新規発行に掛かる手間を低減させることが可能な技術を提供することにある。
【課題を解決するための手段】
【０００７】
上記問題を解決するために、本発明のある観点によれば、１または複数部の通帳を収納する通帳収納部と、オペレータからの操作部への操作に連動して、前記通帳収納部に収納されている前記１または複数部の通帳から送り出し部により１部ずつ送り出された通帳が取り出される取り出し口と、を備える、通帳収納カセットが提供される。
【０００８】
前記通帳収納カセットは、通帳伝票プリンタに設置された取り付け台に取り付けられることにより、前記取り出し口から取り出された通帳が前記通帳伝票プリンタの挿入口に到達する位置に配置されてもよい。
【０００９】
前記の取り出し口は、前記通帳収納カセットの回動部材が前記取り付け台の突出部により押圧されて回動することにより形成されてもよい。
【００１０】
前記通帳収納カセットは、前記通帳収納部に収納されている通帳を外部から視認可能とする通帳確認領域を有してもよい。
【００１１】
前記通帳収納カセットは、前記操作部を備えてもよい。
【００１２】
前記通帳収納カセットは、前記送り出し部を備えてもよい。
【００１３】
前記操作部は、オペレータによって回動操作または移動操作がされるレバーにより構成されてもよい。
【００１４】
前記操作部は、前記送り出し部と一体化されて構成される操作部材によって構成されてもよい。
【００１５】
前記操作部は、オペレータによって回転される回転ノブにより構成されてもよい。
【００１６】
前記送り出し部は、前記操作部への操作に連動して通帳を押圧することにより通帳を送り出す押し出し部材により構成されてもよい。
【００１７】
前記送り出し部は、回転によって生じる摩擦力により通帳を送り出すローラにより構成されてもよい。
【００１８】
また、本発明のある観点によれば、通帳収納カセットが取り付けられる取り付け口と、オペレータからの操作部への操作に連動して、前記通帳収納カセットの通帳収納部に収納されている前記１または複数部の通帳から送り出し部により１部ずつ送り出された通帳が、前記通帳収納カセットの取り出し口から取り出されて通帳伝票プリンタの挿入口に排出される排出口と、を備える、取り付け台が提供される。
【００１９】
前記取り付け台は、前記通帳収納カセットの回動部材を押圧して回動させることにより前記取り出し口を形成させる突出部を備えてもよい。
【００２０】
前記取り付け台は、前記操作部を備えてもよい。
【００２１】
前記取り付け台は、前記送り出し部を備えてもよい。
【００２２】
また、本発明のある観点によれば、１または複数部の通帳を収納する通帳収納部と、オペレータからの操作部への操作に連動して、前記通帳収納部に収納されている前記１または複数部の通帳から送り出し部により１部ずつ送り出された通帳が取り出される取り出し口と、を備える、通帳収納カセットと、前記通帳収納カセットが取り付けられる取り付け口と、前記通帳収納カセットの取り出し口から取り出された通帳が排出される排出口と、を備える、取り付け台と、前記排出口から排出された通帳を挿入するための挿入口と、前記通帳に対して印字を行う印字部と、を備える、プリンタと、を有する、通帳印字システムが提供される。
【発明の効果】
【００２３】
以上説明したように本発明によれば、通帳の新規発行に掛かる手間を低減させることが可能となる。
【図面の簡単な説明】
【００２４】
【図１】本実施形態に係る通帳伝票プリンタの外観を示す斜視図である。
【図２】本実施形態に係る通帳伝票プリンタの断面図である。
【図３】第１の実施形態に係る取り付け台の外観を示す斜視図である。
【図４】第１の実施形態に係る通帳収納カセットの蓋体閉状態における一視点からの外観を示す斜視図である。
【図５】第１の実施形態に係る通帳収納カセットの蓋体開状態における一視点からの外観を示す斜視図である。
【図６】第１の実施形態に係る通帳収納カセットの蓋体閉状態における他視点からの外観を示す斜視図である。
【図７】第１の実施形態において通帳伝票プリンタに取り付け台が設置された状態の外観を示す斜視図である。
【図８Ａ】第１の実施形態において取り付け台への通帳収納カセットの取り付け前の状態を示す断面図である。
【図８Ｂ】第１の実施形態において取り付け台への通帳収納カセットの取り付け後の状態を示す断面図である。
【図８Ｃ】第１の実施形態においてレバーへの操作開始後の状態を示す断面図である。
【図８Ｄ】第１の実施形態において押し出し部材によって送り出された通帳が通帳伝票プリンタの挿入口に到達した状態を示す断面図である。
【図８Ｅ】第１の実施形態において通帳伝票プリンタによって通帳が搬送されている状態を示す断面図である。
【図９】第２の実施形態に係る通帳収納カセットの一視点からの外観を示す斜視図である。
【図１０】第２の実施形態に係る通帳収納カセットの三面図である。
【図１１Ａ】第２の実施形態において取り付け台への通帳収納カセットの取り付け後の状態を示す断面図である。
【図１１Ｂ】第２の実施形態において操作部材への操作開始後の状態を示す断面図である。
【図１１Ｃ】第２の実施形態において押し出し部材によって送り出された通帳が通帳伝票プリンタの挿入口に到達した状態を示す断面図である。
【図１１Ｄ】第２の実施形態において通帳伝票プリンタによって通帳が搬送されている状態を示す断面図である。
【図１２】第３の実施形態に係る通帳収納カセットの一視点からの外観を示す斜視図である。
【図１３】第３の実施形態に係る通帳収納カセットの三面図である。
【図１４Ａ】第３の実施形態において取り付け台への通帳収納カセットの取り付け後の状態を示す断面図である。
【図１４Ｂ】第３の実施形態において回転ノブへの操作開始後の状態を示す断面図である。
【図１４Ｃ】第３の実施形態においてローラによって送り出された通帳が通帳伝票プリンタの挿入口に到達した状態を示す断面図である。
【図１５】第４の実施形態に係る通帳収納カセットの三面図である。
【図１６Ａ】第４の実施形態において取り付け台への通帳収納カセットの取り付け後の状態を示す断面図である。
【図１６Ｂ】第４の実施形態において回転ノブへの操作開始後の状態を示す断面図である。
【図１６Ｃ】第４の実施形態において押し出し部材により送り出された通帳が通帳伝票プリンタの挿入口に到達した状態を示す断面図である。
【図１６Ｄ】第４の実施形態において通帳伝票プリンタによって通帳が搬送されている状態を示す断面図である。
【図１７】第５の実施形態に係る通帳収納カセットの外観を示す斜視図である。
【図１８】第５の実施形態に係る取り付け台の外観を示す斜視図である。
【図１９Ａ】第５の実施形態において取り付け台への通帳収納カセットの取り付け後の状態を示す断面図である。
【図１９Ｂ】第５の実施形態においてローラにより送り出された通帳が通帳伝票プリンタの挿入口に到達した状態を示す断面図である。
【図２０】第６の実施形態に係る取り付け台の外観を示す斜視図である。
【図２１Ａ】第６の実施形態において取り付け台への通帳収納カセットの取り付け後の状態を示す断面図である。
【図２１Ｂ】第６の実施形態においてローラにより送り出された通帳が通帳伝票プリンタの挿入口に到達した状態を示す断面図である。
【図２２】第７の実施形態において通帳収納カセットが収納された収納容器の一視点からの外観を示す斜視図である。
【図２３】第７の実施形態において通帳収納カセットが収納された収納容器の他視点からの外観を示す斜視図である。
【発明を実施するための形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２７】
図１は、本実施形態に係る通帳伝票プリンタ１０の外観を示す斜視図である。また、図２は、本実施形態に係る通帳伝票プリンタ１０の断面図である。まず、図１および図２を参照しながら、本実施形態に係る通帳伝票プリンタ１０について説明する。なお、ここで説明する通帳伝票プリンタ１０は一例に過ぎないため、本実施形態において、通帳伝票プリンタ１０の構成は特に限定されない。
【００２８】
図１および図２に示すように、挿入口１１１は、通帳伝票プリンタ１０の前面に形成され、挿入口１１１には、媒体としての図示しない通帳が挿入される。ステージ１１２は、挿入口１１１より前方（図２における左方）に突出させて形成された通帳用のステージである。挿入口１１３は、通帳伝票プリンタ１０の前面において、挿入口１１１の上方であり、かつ、後方（図２における右方）に形成され、挿入口１１３には、媒体としての図示しない伝票が挿入される。ステージ１１４は、挿入口１１３より前方に突出させて形成された伝票用のステージである。
【００２９】
挿入口１１１の後方には、水平な第１の搬送路１１８が配設され、挿入口１１３と第１の搬送路１１８とが第２の搬送路１１９によって連絡される。また、第１の搬送路１１８には、ローラ対Ｒ１〜Ｒ５が、第２の搬送路１１９には、ローラ対Ｒ６、Ｒ７がそれぞれ配設され、図示しないパルスモータを駆動することによって各ローラ対Ｒ１〜Ｒ７を同期させて回転させ、通帳および伝票を搬送することができるように構成されている。
【００３０】
第１の搬送路１１８におけるローラ対Ｒ１よりわずかに後方には、通帳の前端を検出するセンサ１２１が配設される。また、第２の搬送路１１９におけるローラ対Ｒ６よりわずかに後方には、伝票の前端を検出するセンサ１２２が配設される。第１の搬送路１１８と第２の搬送路１１９との合流点Ｐ１には、第１の搬送路１１８と第２の搬送路１１９とを切り換えるブレード１２３が配設される。なお、ブレード１２３は、図示しないソレノイドなどによって作動されるように構成されている。第１の搬送路１１８におけるローラ対Ｒ４より後方には、プラテン１２５および印字ヘッド２６が、互いに対向するように、かつ、第１の搬送路１１８に臨むようにして配設される。
【００３１】
続いて、通帳伝票プリンタ１０の動作例について説明する。まず、通帳に対して印字が行われる場合、オペレータは通帳をステージ１１２の上にセットする。通帳が挿入口１１１から挿入されると、センサ１２１が通帳の前端を検出し、ローラ対Ｒ１が通帳をクランプする。そして、図示しないパルスモータが駆動され、各ローラ対Ｒ１〜Ｒ７が回転させられると、通帳が吸入されて第１の搬送路１１８を搬送され、印字ヘッド１２６とプラテン１２５との間の印字部に到達し、該印字部において印字ヘッド１２６によって通帳に印字が行われる。印字が終了すると、通帳は第１の搬送路１１８を搬送されてステージ１１２に排出される。
【００３２】
次に、伝票に対して印字を行う場合、伝票をステージ１１４の上にセットする。通帳が挿入口１１３から挿入されると、センサ１２２が伝票の前端を検出し、ローラ対Ｒ６が伝票をクランプする。そして、図示しないパルスモータが駆動され、各ローラ対Ｒ１〜Ｒ７が回転させられると、伝票が吸入されて第２の搬送路１１９を搬送され、第１の搬送路１１８を搬送されて印字部に到達し、該印字部において印字ヘッド２６によって伝票に印字が行われる。印字が終了すると、伝票は、第１の搬送路１１８および第２の搬送路１１９を搬送されてステージ１１４に排出される。
【００３３】
以上、本実施形態に係る通帳伝票プリンタ１０について説明した。このような通帳伝票プリンタ１０には新規発行される通帳を蓄える機構がないのが一般的である。そこで、オペレータは、通帳伝票プリンタ１０を利用して通帳を新規発行する場合には、集積された新規の通帳の束から通帳を一部ずつ手動で抜き取って通帳伝票プリンタ１０に手挿入する必要がある。
【００３４】
しかしながら、かかる技術においては、通帳伝票プリンタ１０を利用して通帳を新規発行するたびに、オペレータが集積された新規の通帳の束から通帳を一部ずつ手動で抜き取って通帳伝票プリンタ１０に手挿入する必要がある。そのため、通帳の新規発行に手間が掛かってしまう。そこで、以下においては、通帳の新規発行に掛かる手間を低減させることが可能な技術について説明する。
【００３５】
（第１の実施形態）
続いて、第１の実施形態について説明する。まず、通帳伝票プリンタ１０に設置される取り付け台２０Ａについて説明する。図３は、第１の実施形態に係る取り付け台２０Ａの外観を示す斜視図である。図３を参照すると、取り付け台２０Ａは、通帳収納カセット３０Ａが取り付けられる取り付け口２１０と、ローラ５０とを備えている。第１の実施形態においては、取り付け台２０Ａにローラ５０が備えられる場合について説明するが、ローラ５０は取り付け台２０Ａに備えられていなくてもよい。
【００３６】
また、第１の実施形態においては、通帳収納カセット３０Ａが取り付け台２０Ａに取り付けられる場合について説明するが、後に説明するように通帳収納カセット３０Ａは取り付け台２０Ａに取り付けられなくてもよい。かかる場合、取り付け台２０Ａは特に設けられなくてもよい。取り付け台２０Ａの形状は特に限定されないため、取り付け台２０Ａの底面２４０は存在しなくてもよい。
【００３７】
続いて、第１の実施形態に係る通帳収納カセット３０Ａについて説明する。図４は、第１の実施形態に係る通帳収納カセット３０Ａの蓋体３３０の閉状態における一視点からの外観を示す斜視図である。図５は、第１の実施形態に係る通帳収納カセット３０Ａの蓋体３３０の開状態における一視点からの外観を示す斜視図である。図６は、第１の実施形態に係る通帳収納カセット３０Ａの蓋体３３０の閉状態における他視点からの外観を示す斜視図である。
【００３８】
図５に示すように、通帳収納カセット３０Ａは、１または複数部の通帳を収納する通帳収納部３４０を備えている。また、図４および図５を参照すると、通帳収納カセット３０Ａは、通帳収納部３４０に収納されている通帳を外部から視認可能とする通帳確認領域３１０を備えている。通帳確認領域３１０の材質は特に限定されないが、通帳確認領域３１０は透明な材質によって構成されているとよい。なお、通帳確認領域３１０は通帳収納カセット３０Ａに備えられていなくてもよい。
【００３９】
また、図４を参照すると、通帳収納カセット３０Ａは、蓋体３３０を開状態とするための鍵が挿入される鍵穴３２０を備えている。例えば、鍵穴３２０に合う鍵が鍵穴３２０に挿入された場合には蓋体３３０が開状態とされ得るが、鍵穴３２０に合わない鍵では蓋体３３０が開状態とされ得ない。なお、鍵穴３２０は通帳収納カセット３０Ａに備えられていなくてもよい。
【００４０】
さらに、図４〜図６を参照すると、通帳収納カセット３０Ａは、オペレータから操作される操作部の一例としてのレバー４０−１を備えている。なお、後に説明するように、操作部の種類はレバー４０−１に限定されない。また、第１の実施形態においては、操作部が通帳収納カセット３０Ａに備えられる場合について説明するが、操作部は、後に説明するように、取り付け台２０Ａに備えられていてもよい。
【００４１】
また、図６を参照すると、通帳収納カセット３０Ａは、２つの挿入孔３５０を備えている。２つの挿入孔３５０それぞれには、通帳収納カセット３０Ａが取り付け台２０Ａに取り付けられるときに、取り付け台２０Ａの突出部２２０（図８Ａ参照）が挿入される。挿入孔３５０の詳細については後に説明する。なお、挿入孔３５０の数は限定されない。また、挿入孔３５０は通帳収納カセット３０Ａに備えられていなくてもよい。
【００４２】
続いて、第１の実施形態において取り付け台２０Ａが通帳伝票プリンタ１０に設置された状態について説明する。図７は、第１の実施形態において通帳伝票プリンタ１０に取り付け台２０Ａが設置された状態の外観を示す斜視図である。例えば、図７に示したようにして、取り付け台２０Ａが通帳伝票プリンタ１０に設置される。しかし、上記したように、取り付け台２０Ａの形状は限定されないため、通帳伝票プリンタ１０に取り付け台２０Ａが設置された状態も、図７に示した例に限定されない。
【００４３】
続いて、第１の実施形態に係る通帳印字システム全体の動作の流れについて説明する。通帳印字システムは、通帳伝票プリンタ１０と取り付け台２０Ａと通帳収納カセット３０Ａとを含んで構成される。図８Ａは、第１の実施形態において取り付け台２０Ａへの通帳収納カセット３０Ａの取り付け前の状態を示す断面図である。図８Ａを参照すると、通帳収納部３４０に通帳Ｂが収納された通帳収納カセット３０Ａを、オペレータが取り付け台２０Ａに取り付けようとしている状態が示されている。
【００４４】
図８Ｂは、第１の実施形態において取り付け台２０Ａへの通帳収納カセット３０Ａの取り付け後の状態を示す断面図である。図８Ｂに示したように、通帳収納カセット３０Ａは、通帳伝票プリンタ１０に設置された取り付け台２０Ａに取り付けられることによって、取り出し口３７０から取り出された通帳Ｂが通帳伝票プリンタ１０の挿入口１１１に到達する位置に配置されてよい。
【００４５】
図８Ｂを参照すると、通帳収納カセット３０Ａは回動部材３６０を備え、取り付け台２０Ａは突出部２２０を備えており、回動部材３６０が突出部２２０により押圧されて回動することにより取り出し口３７０が形成されている。取り出し口３７０の形成によって通帳収納部３４０に収納されている通帳Ｂが取り出し口３７０から取り出されることが可能となる。図８Ｂに示すように、突出部２２０は挿入孔３５０を通過して回動部材３６０を押圧してよい。なお、取り出し口３７０はどのように形成されてもよく、取り付け台２０Ａへの通帳収納カセット３０Ａの取り付け前から形成されていてもよい。
【００４６】
図８Ｃは、第１の実施形態においてレバー４０−１への操作開始後の状態を示す断面図である。図８Ｃに示すように、通帳収納カセット３０Ａは、押し出し部材４１−１を備えている。押し出し部材４１−１は、オペレータからの操作部への操作に連動して、通帳収納部３４０に収納されている１または複数部の通帳から１部ずつ通帳Ｂを送り出す送り出し部の一例として機能する。なお、後に説明するように、送り出し部の種類は押し出し部材４１−１に限定されない。また、第１の実施形態においては、送り出し部が通帳収納カセット３０Ａに備えられる場合について説明するが、送り出し部は、取り付け台２０Ａに備えられていてもよい。
【００４７】
図８Ｃに示すように、オペレータがレバー４０−１への回動操作を行うと、押し出し部材４１−１は、レバー４０−１への回動操作に連動して通帳Ｂを押圧することにより１部ずつ通帳Ｂを送り出す。図８Ｃに示すように、取り付け台２０Ａは、通帳Ｂが排出される排出口２３０を備えている。そこで、押し出し部材４１−１によって送り出された通帳Ｂは、排出口２３０から排出されて通帳伝票プリンタ１０の挿入口１１１に到達する。なお、第１の実施形態においては、レバー４０−１は回動操作がなされる場合を説明するが、後に説明するように、移動操作がなされてもよい。
【００４８】
図８Ｄは、第１の実施形態において押し出し部材４１−１によって送り出された通帳Ｂが通帳伝票プリンタ１０の挿入口１１１に到達した状態を示す断面図である。また、図８Ｅは、第１の実施形態において通帳伝票プリンタ１０によって通帳Ｂが搬送されている状態を示す断面図である。図８Ｅに示すように、通帳Ｂが挿入口１１１から挿入されると、センサ１２１が通帳Ｂの前端を検出し、ローラ対Ｒ１が通帳Ｂをクランプする。その後、図示しないパルスモータが駆動され、各ローラ対Ｒ１〜Ｒ７が回転させられると、通帳Ｂが吸入される。通帳Ｂが吸入されると、上記のようにして通帳Ｂに印字が行われる。
【００４９】
以上、第１の実施形態に係る通帳印字システム全体の動作の流れについて説明した。上記したように、通帳収納カセット３０Ａは、１または複数部の通帳を収納する通帳収納部３４０と、オペレータからのレバー４０−１への操作に連動して、通帳収納部３４０に収納されている１または複数部の通帳から押し出し部材４１−１により１部ずつ送り出された通帳が取り出される取り出し口３７０と、を備える。かかる構成により、集積された新規の通帳の束から通帳を一部ずつ手動で抜き取る手間が掛からなくなるという効果を奏し得る。
【００５０】
さらに、上記したように、通帳収納カセット３０Ａは、通帳伝票プリンタ１０に設置された取り付け台２０Ａに取り付けられることにより、取り出し口３７０から取り出された通帳が通帳伝票プリンタ１０の挿入口１１１に到達する位置に配置されるとよい。かかる構成により、オペレータが通帳を通帳伝票プリンタ１０に手挿入するための手間が掛からなくなるという効果を奏し得る。通帳伝票プリンタ１０は、既に設置済みであってもよいし、通帳収納カセット３０Ａの導入に伴って新たに設置されてもよい。
【００５１】
また、通帳収納カセット３０Ａに収納される通帳の種類は限定されないが、通帳の種類ごと（勘定科目ごと）に通帳収納カセット３０Ａが決められてもよい。専用の新規通帳発行機に装着される通帳収納カセットも通帳の種類ごとに準備されるのが一般的であるため、このように通帳収納カセット３０Ａが決められれば、第１の実施形態に係る通帳収納カセット３０Ａを専用の新規通帳発行機に装着される通帳収納カセットと同様に運用することが可能となる。
【００５２】
（第２の実施形態）
続いて、第２の実施形態について説明する。第２の実施形態と第１の実施形態とにおいて同一の構成要素に対しては同一の符号を付し、当該構成要素の説明を省略する。まず、第２の実施形態に係る通帳収納カセット３０Ｂについて説明する。図９は、第２の実施形態に係る通帳収納カセット３０Ｂの一視点からの外観を示す斜視図である。図１０は、第２の実施形態に係る通帳収納カセット３０Ｂの三面図である。
【００５３】
図９および図１０に示すように、通帳収納カセット３０Ｂは、送り出し部の一例としての押し出し部材４１−２を備えている。また、通帳収納カセット３０Ｂは、操作部の一例としての操作部材４０−２を備えている。操作部材４０−２は、押し出し部材４１−２と一体化されて構成されている。オペレータは、操作部材４０−２を移動させることにより操作部材４０−２と一体化された押し出し部材４１−２を移動させることが可能である。
【００５４】
続いて、第２の実施形態に係る通帳印字システム全体の動作の流れについて説明する。通帳印字システムは、通帳伝票プリンタ１０と取り付け台２０Ａと通帳収納カセット３０Ｂとを含んで構成される。図１１Ａは、第２の実施形態において取り付け台２０Ａへの通帳収納カセット３０Ｂの取り付け後の状態を示す断面図である。また、図１１Ｂは、第２の実施形態において操作部材４０−２への操作開始後の状態を示す断面図である。
【００５５】
図１１Ｂに示すように、通帳収納カセット３０Ｂは、押し出し部材４１−２を備えている。押し出し部材４１−２は、オペレータからの操作部への操作に連動して、通帳収納部３４０に収納されている１または複数部の通帳から１部ずつ通帳Ｂを送り出す送り出し部の一例として機能する。
【００５６】
図１１Ｂに示すように、オペレータが操作部材４０−２への移動操作を行うと、押し出し部材４１−２は、操作部材４０−２への移動操作に連動して通帳Ｂを押圧することにより１部ずつ通帳Ｂを送り出す。第１の実施形態と同様に、押し出し部材４１−２によって送り出された通帳Ｂは、排出口２３０から排出されて通帳伝票プリンタ１０の挿入口１１１に到達する。なお、第２の実施形態においては、操作部材４０−２には移動操作がなされる場合を説明するが、移動操作に限らず回転操作などがなされてもよい。
【００５７】
図１１Ｃは、第２の実施形態において押し出し部材４１−２によって送り出された通帳Ｂが通帳伝票プリンタ１０の挿入口１１１に到達した状態を示す断面図である。また、図１１Ｄは、第２の実施形態において通帳伝票プリンタ１０によって通帳Ｂが搬送されている状態を示す断面図である。図１１Ｄに示すように、通帳Ｂが挿入口１１１から挿入されると、第１の実施形態と同様に、通帳Ｂに印字が行われる。
【００５８】
以上、第２の実施形態に係る通帳印字システム全体の動作の流れについて説明した。第２の実施形態においては、第１の実施形態における通帳収納カセット３０Ａの一部の構成を変形した通帳収納カセット３０Ｂを主に説明した。より詳細には、第２の実施形態においては、通帳収納カセット３０Ｂは、操作部の一例としての操作部材４０−２と送り出し部の一例としての押し出し部材４１−２とを備える。なお、第２の実施形態においても、第１の実施形態と同様の効果を奏し得ることは言うまでもない。
【００５９】
（第３の実施形態）
続いて、第３の実施形態について説明する。第３の実施形態と第１の実施形態または第２の実施形態とにおいて同一の構成要素に対しては同一の符号を付し、当該構成要素の説明を省略する。まず、第３の実施形態に係る通帳収納カセット３０Ｃについて説明する。図１２は、第３の実施形態に係る通帳収納カセット３０Ｃの一視点からの外観を示す斜視図である。図１３は、第３の実施形態に係る通帳収納カセット３０Ｃの三面図である。
【００６０】
図１２および図１３に示すように、通帳収納カセット３０Ｃは、送り出し部の一例としてのローラ４１−３ｂを備えている。また、通帳収納カセット３０Ｃは、操作部の一例としての回転ノブ４０−３を備えている。回転ノブ４０−３は、オペレータによって回転される。回転ノブ４０−３はギア４１−３ａを介してシャフト４１−３ｃに繋がり、ローラ４１−３ｂもシャフト４１−３ｃに設けられている。そこで、オペレータは、回転ノブ４０−３を回転させることによりローラ４１−３ｂを回転させることが可能である。なお、シャフト４１−３ｃの数、シャフト４１−３ｃに存在するローラ４１−３ｂの数、ギア４１−３ａの数は限定されない。
【００６１】
続いて、第３の実施形態に係る通帳印字システム全体の動作の流れについて説明する。通帳印字システムは、通帳伝票プリンタ１０と取り付け台２０Ａと通帳収納カセット３０Ｃとを含んで構成される。図１４Ａは、第３の実施形態において取り付け台２０Ａへの通帳収納カセット３０Ｃの取り付け後の状態を示す断面図である。また、図１４Ｂは、第３の実施形態において回転ノブ４０−３への操作開始後の状態を示す断面図である。
【００６２】
図１４Ｂに示すように、通帳収納カセット３０Ｃは、ローラ４１−３ｂを備えている。ローラ４１−３ｂは、オペレータからの操作部への操作に連動して、通帳収納部３４０に収納されている１または複数部の通帳から１部ずつ通帳Ｂを送り出す送り出し部の一例として機能する。
【００６３】
図１４Ｂに示すように、オペレータが回転ノブ４０−３への回転操作を行うと、ローラ４１−３ｂは、回転ノブ４０−３への回転操作に連動して回転し、回転によって通帳の表面とローラ４１−３ｂの表面との間に生じる摩擦力により１部ずつ通帳Ｂを送り出す。第１の実施形態と同様に、ローラ４１−３ｂによって送り出された通帳Ｂは、排出口２３０から排出されて通帳伝票プリンタ１０の挿入口１１１に到達する。
【００６４】
図１４Ｃは、第３の実施形態においてローラ４１−３ｂによって送り出された通帳Ｂが通帳伝票プリンタ１０の挿入口１１１に到達した状態を示す断面図である。通帳Ｂが挿入口１１１から挿入されると、第１の実施形態と同様に、通帳Ｂに印字が行われる。
【００６５】
以上、第３の実施形態に係る通帳印字システム全体の動作の流れについて説明した。第３の実施形態においては、第１の実施形態における通帳収納カセット３０Ａの一部の構成を変形した通帳収納カセット３０Ｃを主に説明した。より詳細には、第３の実施形態においては、通帳収納カセット３０Ｃは、操作部の一例としての回転ノブ４０−３と送り出し部の一例としてのローラ４１−３ｂとを備える。なお、第３の実施形態においても、第１の実施形態と同様の効果を奏し得ることは言うまでもない。
【００６６】
（第４の実施形態）
続いて、第４の実施形態について説明する。第４の実施形態と第１の実施形態〜第３の実施形態とにおいて同一の構成要素に対しては同一の符号を付し、当該構成要素の説明を省略する。まず、第４の実施形態に係る通帳収納カセット３０Ｄについて説明する。図１５は、第４の実施形態に係る通帳収納カセット３０Ｄの三面図である。
【００６７】
図１５に示すように、通帳収納カセット３０Ｄは、送り出し部の一例としての押し出し部材４１−４ｂを備えている。また、第３の実施形態と同様に、通帳収納カセット３０Ｄは、操作部の一例としての回転ノブ４０−３を備えている。回転ノブ４０−３は、オペレータによって回転される。回転ノブ４０−３はシャフト４１−３ｃおよびローラ４１−３ｂに繋がり、ローラ４１−３ｂにはベルト４１−４ａが巻かれており、ベルト４１−４ａには押し出し部材４１−４ｂが設けられている。そこで、オペレータは、回転ノブ４０−３を回転させることにより押し出し部材４１−４ｂを回転させることが可能である。なお、シャフト４１−３ｃの数、ローラ４１−３ｂの数の数は限定されない。
【００６８】
続いて、第３の実施形態に係る通帳印字システム全体の動作の流れについて説明する。通帳印字システムは、通帳伝票プリンタ１０と取り付け台２０Ａと通帳収納カセット３０Ｄとを含んで構成される。図１６Ａは、第４の実施形態において取り付け台２０Ａへの通帳収納カセット３０Ｄの取り付け後の状態を示す断面図である。また、図１６Ｂは、第４の実施形態において回転ノブ４０−３への操作開始後の状態を示す断面図である。
【００６９】
図１６Ｂに示すように、通帳収納カセット３０Ｄは、ローラ４１−３ｂを備えている。ローラ４１−３ｂは、オペレータからの操作部への操作に連動して、通帳収納部３４０に収納されている１または複数部の通帳から１部ずつ通帳Ｂを送り出す送り出し部の一例として機能する。
【００７０】
オペレータが回転ノブ４０−３への回転操作を行うと、図１６Ｂに示すように、押し出し部材４１−４ｂは、回転ノブ４０−３への回転操作に連動して通帳Ｂを押圧することにより１部ずつ通帳Ｂを送り出す。第１の実施形態と同様に、押し出し部材４１−４ｂによって送り出された通帳Ｂは、排出口２３０から排出されて通帳伝票プリンタ１０の挿入口１１１に到達する。
【００７１】
図１６Ｃは、第４の実施形態において押し出し部材４１−４ｂによって送り出された通帳Ｂが通帳伝票プリンタ１０の挿入口１１１に到達した状態を示す断面図である。また、図１６Ｄは、第４の実施形態において通帳伝票プリンタ１０によって通帳Ｂが搬送されている状態を示す断面図である。通帳Ｂが挿入口１１１から挿入されると、第１の実施形態と同様に、通帳Ｂに印字が行われる。
【００７２】
以上、第４の実施形態に係る通帳印字システム全体の動作の流れについて説明した。第４の実施形態においては、第１の実施形態における通帳収納カセット３０Ａの一部の構成を変形した通帳収納カセット３０Ｄを主に説明した。より詳細には、第４の実施形態においては、通帳収納カセット３０Ｄは、操作部の一例としての回転ノブ４０−３と送り出し部の一例としての押し出し部材４１−４ｂとを備える。なお、第４の実施形態においても、第１の実施形態と同様の効果を奏し得ることは言うまでもない。
【００７３】
（第５の実施形態）
続いて、第５の実施形態について説明する。第５の実施形態と第１の実施形態〜第４の実施形態とにおいて同一の構成要素に対しては同一の符号を付し、当該構成要素の説明を省略する。まず、第５の実施形態に係る通帳収納カセット３０Ｅについて説明する。図１７は、第５の実施形態に係る通帳収納カセット３０Ｅの外観を示す斜視図である。図１７に示すように、第５の実施形態に係る通帳収納カセット３０Ｅは、操作部および送り出し部を備えていない。
【００７４】
続いて、第５の実施形態に係る取り付け台２０Ｂについて説明する。図１８は、第５の実施形態に係る取り付け台２０Ｂの外観を示す斜視図である。図１８に示すように、第５の実施形態に係る取り付け台２０Ｂは、送り出し部の一例としてのローラ５０を備えている。また、取り付け台２０Ｂは、操作部の一例としてのレバー４０−１を備えている。
【００７５】
続いて、第５の実施形態に係る通帳印字システム全体の動作の流れについて説明する。通帳印字システムは、通帳伝票プリンタ１０と取り付け台２０Ｂと通帳収納カセット３０Ｅとを含んで構成される。図１９Ａは、第５の実施形態において取り付け台２０Ｂへの通帳収納カセット３０Ｅの取り付け後の状態を示す断面図である。図１９Ｂは、第５の実施形態においてローラ５０により送り出された通帳Ｂが通帳伝票プリンタ１０の挿入口１１１に到達した状態を示す断面図である。
【００７６】
図１９Ａに示すように、取り付け台２０Ｂは、ローラ５０を備えている。ローラ５０は、オペレータからの操作部への操作に連動して、通帳収納部３４０に収納されている１または複数部の通帳から１部ずつ通帳Ｂを送り出す送り出し部の一例として機能する。
【００７７】
図１９Ｂに示すように、オペレータがレバー４０−１への移動操作を行うと、ローラ５０は、レバー４０−１への移動操作に連動して回転し、回転によって通帳の表面とローラ５０の表面との間に生じる摩擦力により１部ずつ通帳Ｂを送り出す。第１の実施形態と同様に、ローラ５０によって送り出された通帳Ｂは、排出口２３０から排出されて通帳伝票プリンタ１０の挿入口１１１に到達する。
【００７８】
なお、第５の実施形態においては、レバー４０−１には移動操作がなされる場合を説明するが、移動操作に限らず回転操作などがなされてもよい。通帳Ｂが挿入口１１１から挿入されると、第１の実施形態と同様に、通帳Ｂに印字が行われる。
【００７９】
以上、第５の実施形態に係る通帳印字システム全体の動作の流れについて説明した。第５の実施形態においては、第１の実施形態における通帳収納カセット３０Ａの一部の構成を変形した通帳収納カセット３０Ｅと、取り付け台２０Ａの一部の構成を変形した取り付け台２０Ｂを主に説明した。より詳細には、第５の実施形態においては、取り付け台２０Ｂは、操作部の一例としてのレバー４０−１と送り出し部の一例としてのローラ５０とを備える。
【００８０】
かかる構成によれば、通帳収納カセット３０Ｅに操作部が備えられていないため、通帳収納カセット３０Ｅの保管を容易に行うことが可能となることが期待される。また、通帳収納カセット３０Ｅには送り出し部が備えられていないため、通帳収納カセット３０Ｅの保管をさらに容易に行うことが可能となることが期待される。なお、第５の実施形態においても、第１の実施形態と同様の効果を奏し得ることは言うまでもない。
【００８１】
（第６の実施形態）
続いて、第６の実施形態について説明する。第６の実施形態と第１の実施形態〜第５の実施形態とにおいて同一の構成要素に対しては同一の符号を付し、当該構成要素の説明を省略する。まず、第５の実施形態に係る取り付け台２０Ｃについて説明する。図２０は、第６の実施形態において係る取り付け台２０Ｃの外観を示す斜視図である。図２０に示すように、第６の実施形態に係る取り付け台２０Ｃは、送り出し部の一例としてのローラ５０を備えている。また、取り付け台２０Ｃは、操作部の一例としての回転ノブ４０−２を備えている。
【００８２】
続いて、第６の実施形態に係る通帳印字システム全体の動作の流れについて説明する。通帳印字システムは、通帳伝票プリンタ１０と取り付け台２０Ｃと通帳収納カセット３０Ｅとを含んで構成される。図２１Ａは、第６の実施形態において取り付け台２０Ｃへの通帳収納カセット３０Ｅの取り付け後の状態を示す断面図である。図２１Ｂは、第６の実施形態においてローラ５０により送り出された通帳Ｂが通帳伝票プリンタ１０の挿入口１１１に到達した状態を示す断面図である。
【００８３】
図２１Ａに示すように、取り付け台２０Ｃは、ローラ５０を備えている。ローラ５０は、オペレータからの操作部への操作に連動して、通帳収納部３４０に収納されている１または複数部の通帳から１部ずつ通帳Ｂを送り出す送り出し部の一例として機能する。
【００８４】
図２１Ｂに示すように、オペレータが回転ノブ４０−２への回転操作を行うと、ローラ５０は、回転ノブ４０−２への回転操作に連動して回転し、回転によって通帳の表面とローラ５０の表面との間に生じる摩擦力により１部ずつ通帳Ｂを送り出す。第１の実施形態と同様に、ローラ５０によって送り出された通帳Ｂは、排出口２３０から排出されて通帳伝票プリンタ１０の挿入口１１１に到達する。通帳Ｂが挿入口１１１から挿入されると、第１の実施形態と同様に、通帳Ｂに印字が行われる。
【００８５】
以上、第６の実施形態に係る通帳印字システム全体の動作の流れについて説明した。第６の実施形態においては、第５の実施形態における取り付け台２０Ｂの一部の構成を変形した取り付け台２０Ｃを主に説明した。より詳細には、第６の実施形態においては、取り付け台２０Ｃは、操作部の一例としての回転ノブ４０−２を備える。
【００８６】
かかる構成によれば、第５の実施形態と同様に、通帳収納カセット３０Ｅの保管を容易に行うことが可能となることが期待される。なお、第６の実施形態においても、第１の実施形態と同様の効果を奏し得ることは言うまでもない。
【００８７】
（第７の実施形態）
続いて、第７の実施形態について説明する。第７の実施形態と第１の実施形態〜第６の実施形態とにおいて同一の構成要素に対しては同一の符号を付し、当該構成要素の説明を省略する。第１の実施形態〜第６の実施形態においては、通帳収納カセット３０が、通帳伝票プリンタ１０に設置された取り付け台２０に取り付けられることにより、取り出し口３７０から取り出された通帳が通帳伝票プリンタ１０の挿入口１１１に到達する位置に配置される例を説明した。
【００８８】
しかし、通帳収納カセット３０が配置される位置はかかる例に限定されない。例えば、通帳収納カセット３０は、所定の収納容器に収納されて用いられてもよい。図２２は、第７の実施形態において通帳収納カセット３０Ｅが収納された収納容器６０の一視点からの外観を示す斜視図である。また、図２３は、第７の実施形態において通帳収納カセット３０Ｅが収納された収納容器の他視点からの外観を示す斜視図である。
【００８９】
例えば、図２２に示すように、収納容器６０には取り出し口６１が設けられており、収納容器６０に収納された通帳収納カセット３０Ｅの通帳が取り出し口６１から取り出されるようにしてもよい。例えば、収納容器６０に設けられた回転ノブ４０−２への回転操作をオペレータが行うと、回転操作に連動して、通帳収納カセット３０Ｅに備えられたローラ５０が回転し、ローラ５０の回転によって１部ずつ通帳Ｂが送り出され、取り出し口６１から取り出されるようにしてもよい。
【００９０】
このようにして通帳収納カセット３０Ｅが利用される場合であっても、集積された新規の通帳の束から通帳を一部ずつ手動で抜き取る手間が掛からなくなるという効果を奏し得る。したがって、第７の実施形態によっても、通帳の新規発行に掛かる手間を低減させることが可能である。
【００９１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９２】
１０    通帳伝票プリンタ
５０    ローラ（送り出し部）
１１１  挿入口
２０（２０Ａ、２０Ｂ、２０Ｃ）  取り付け台
２１０  取り付け口
２２０  突出部
２３０  排出口
３０（３０Ａ〜３０Ｅ）  通帳収納カセット
３１０  通帳確認領域
３４０  通帳収納部
３５０  挿入孔
３６０  回動部材
３７０  取り出し口
４０−１  レバー（操作部）
４０−２  操作部材（操作部）
４０−３  回転ノブ（操作部）
４１−１  押し出し部材（送り出し部）
【図１】
2015095078.tif 000003
【図２】
2015095078.tif 000004
【図３】
2015095078.tif 000005
【図４】
2015095078.tif 000006
【図５】
2015095078.tif 000007
【図６】
2015095078.tif 000008
【図７】
2015095078.tif 000009
【図８Ａ】
2015095078.tif 000010
【図８Ｂ】
2015095078.tif 000011
【図８Ｃ】
2015095078.tif 000012
【図８Ｄ】
2015095078.tif 000013
【図８Ｅ】
2015095078.tif 000014
【図９】
2015095078.tif 000015
【図１０】
2015095078.tif 000016
【図１１Ａ】
2015095078.tif 000017
【図１１Ｂ】
2015095078.tif 000018
【図１１Ｃ】
2015095078.tif 000019
【図１１Ｄ】
2015095078.tif 000020
【図１２】
2015095078.tif 000021
【図１３】
2015095078.tif 000022
【図１４Ａ】
2015095078.tif 000023
【図１４Ｂ】
2015095078.tif 000024
【図１４Ｃ】
2015095078.tif 000025
【図１５】
2015095078.tif 000026
【図１６Ａ】
2015095078.tif 000027
【図１６Ｂ】
2015095078.tif 000028
【図１６Ｃ】
2015095078.tif 000029
【図１６Ｄ】
2015095078.tif 000030
【図１７】
2015095078.tif 000031
【図１８】
2015095078.tif 000032
【図１９Ａ】
2015095078.tif 000033
【図１９Ｂ】
2015095078.tif 000034
【図２０】
2015095078.tif 000035
【図２１Ａ】
2015095078.tif 000036
【図２１Ｂ】
2015095078.tif 000037
【図２２】
2015095078.tif 000038
【図２３】
2015095078.tif 000039